(57)【特許請求の範囲】
【請求項１】
遊技者が獲得した遊技媒体との交換に供する景品を管理する装置であり、
複数種類の景品の夫々について、当該種類の景品の１個当たりの交換に必要な交換遊技媒体数と、当該種類の景品の１個当たりの仕入原価と、を記憶している記憶装置であって、さらに、遊技媒体の貸出単価とは異なる価値であって景品との交換における遊技媒体の単価を示す交換単価を記憶している前記記憶装置と、
前記複数種類の景品に対応する複数個の景品情報を同時に表示させるコンピュータであって、前記複数個の景品情報のそれぞれは、当該１個の景品情報に対応する種類の景品を識別するための景品識別情報と、当該種類の景品の１個当たりの交換遊技媒体数に前記交換単価を乗じて得られる景品提供価格と、当該種類の景品の１個当たりの仕入原価と、を含む、前記コンピュータと、を備えることを特徴とする景品管理装置。
【請求項２】
遊技者が獲得した遊技媒体との交換に供する景品を管理する装置であり、
複数種類の景品の夫々について、当該種類の景品の１個当たりの交換に必要な交換遊技媒体数と、当該種類の景品の１個当たりの仕入原価と、を記憶している記憶装置であって、さらに、遊技媒体の貸出単価とは異なる価値であって景品との交換における遊技媒体の単価を示す交換単価を記憶している前記記憶装置と、
前記複数種類の景品に対応する複数個の景品情報を同時に表示させるコンピュータであって、前記複数個の景品情報のそれぞれは、当該１個の景品情報に対応する種類の景品を識別するための景品識別情報と、当該種類の景品の１個当たりの交換遊技媒体数に前記交換単価を乗じて得られる景品提供価格と、当該景品提供価格と当該種類の景品の１個当たりの仕入原価との差額と、を含む、前記コンピュータと、を備えていることを特徴とする景品管理装置。
【請求項３】
前記複数種類の景品情報のそれぞれは、さらに、当該１個の景品情報に対応する種類の景品の過去に提供した景品数に、当該種類の景品の前記差額を乗じた利益合計を含む、ことを特徴とする請求項１又は２に記載の景品管理装置。
【請求項４】
前記記憶装置は、景品の在庫数が記録されている在庫データを記憶しており、
前記コンピュータは、提供された景品数を在庫数から減じるとともに、在庫数が予め定められた発注喚起数以下となった景品について、当該景品の発注を促す画面を表示することを特徴とする請求項１から３のいずれか１項に記載の景品管理装置。
【請求項５】
遊技者が獲得した遊技媒体との交換に供する景品を管理する装置であり、
複数の景品の夫々について、交換に必要な交換遊技媒体数と、遊技媒体の貸出単価とは異なる価値であって景品との交換における遊技媒体の単価を示す交換単価を記憶している記憶装置と、
交換遊技媒体数に交換単価を乗じて得られる景品提供価格を表示させるコンピュータと、を備え、
前記記憶装置は、さらに、予め定められた特殊景品の仕入原価と交換遊技媒体数を記憶しており、
前記コンピュータは、特殊景品の仕入原価を特殊景品の交換遊技媒体数で除した値を前記交換単価として用いることを特徴とする景品管理装置。
【請求項６】
遊技者が獲得した遊技媒体との交換に供する景品を管理する装置であり、
複数の景品の夫々について、交換に必要な交換遊技媒体数と、遊技媒体の貸出単価とは異なる価値であって景品との交換における遊技媒体の単価を示す交換単価を記憶している記憶装置と、
交換遊技媒体数に交換単価を乗じて得られる景品提供価格を表示させるコンピュータと、を備え、
前記記憶装置は、さらに、景品の仕入原価を記憶しており、
前記コンピュータは、景品提供価格と仕入原価の差額を表示させ、
前記記憶装置は、さらに、景品の在庫数が記録されている在庫データを記憶しており、
前記コンピュータは、提供された景品数を在庫数から減じるとともに、在庫数が予め定められた発注喚起数以下となった景品について、当該景品の前記差額に応じて異なるメッセージを表示させることを特徴とする景品管理装置。
【発明の詳細な説明】
【技術分野】
【０００１】
本発明は、遊技者が獲得した遊技媒体と交換するための景品を管理する装置に関する。
【背景技術】
【０００２】
パチンコ店やパチスロ店などの遊技店では、遊技者が獲得したパチンコ玉やメダルなどの遊技媒体を、それらの数に応じてタバコや菓子などの景品と交換することが慣行になっている。そのため、景品の管理業務の効率化が遊技店における経営上の課題の一つとなっている。一つの方法として、遊技店と景品を提供する業者（景品の製造会社や販売会社）をインターネットでつなぎ、遊技者は、獲得した遊技媒体数に応じた景品を、遊技店に備えられた端末から直接に景品提供業者に伝えるシステムが提案されている（例えば特許文献１、特許文献２）。
【先行技術文献】
【特許文献】
【０００３】
【特許文献１】特開２００２−１３６７４８号公報
【特許文献２】特開２００１−３４０５９８号公報
【発明の概要】
【発明が解決しようとする課題】
【０００４】
利益管理も含む景品管理を、遊技店とは異なる業者に委託するのも一つの解決策ではあるが、それでは業者の手数料が嵩んでしまう。従来通り、遊技店にて景品を仕入れ、効率よく管理することが望まれている。
【０００５】
景品を管理するための装置は従来から存在した。例えば図１２に、従来の景品管理装置が表示するモニタ画面の一例を示す。モニタ画面９０には、景品データベースに記憶されている帳票９２が表示されている。この例では、景品毎に、景品コード、景品の種別（特殊景品、お菓子、タバコ、玩具など、その景品の種類を表す）、仕入原価、交換玉数（交換遊技媒体数）、及び、市場価格（「販売価格」）が表示されている。
【０００６】
景品との交換に要する交換玉数（交換遊技媒体数）は、景品毎に遊技店側が予め定めることができる。交換玉数に、遊技媒体の「貸出単価」を乗じた値は、その景品の市場価格に相当する。「貸出単価」とは、遊技店が遊技媒体を貸し出す際の遊技媒体１個当たりの貸し出し価格である。図１２の例では、遊技媒体１個の貸出単価を４円として「販売価格」が計算されている。
【０００７】
景品を交換する際、等価交換をする場合には上記「販売価格」が、実際に遊技者に提供する価格となる。しかしながら、等価交換をしない遊技店も多く存在する。そうすると、貸出単価を用いて「販売価格」を算出して表示している図１２の帳票９２では、販売価格から仕入原価を差し引いた値を算出しても、各景品について景品交換の際に利益があるのか損失があるのか、一見しただけではわからない。
【０００８】
小売店は、商品毎に売値を操作することで、利益率は低いが客にとって魅力的な商品を作り、その一方で、客にとっては価格的な魅力は小さいが利益率が大きい商品を作り、集客力と収益力の向上を図っている。遊技店において、それぞれの景品について発生する個別の利益を認識することによって、経営効率化を図ることが期待される。以上の状況に鑑み、本発明は、景品毎の利益管理を容易にする装置を提供することを目的とする。
【課題を解決するための手段】
【０００９】
本発明は、遊技店において、遊技者が獲得した遊技媒体との交換に供する景品を管理する装置（景品管理装置）に関する。景品管理装置は、記憶装置とコンピュータを備える。記憶装置は、複数の景品の夫々について、交換に必要な遊技媒体数（交換遊技媒体数）と、遊技媒体の貸出単価とは異なる価値であって景品との交換における遊技媒体１個の価値（単価）を示す交換単価を記憶している。コンピュータは、交換遊技媒体数に交換単価を乗じて得られる景品提供価格を表示させる。以下、「景品提供価格」を単に「提供価格」と称する。交換遊技媒体数は、遊技店が予め定める。交換単価は、典型的には金額で表される。コンピュータは、提供価格をモニタに表示する場合があれば、印刷する（即ち紙媒体に表示する）場合もある。この景品管理装置は、景品毎の提供価格を表示するので、遊技店の経営者は、景品毎のいわゆる「売値」を把握できるという利点が得られる。なお、「交換単価」は、遊技店の従業員が設定・入力するものであってよい。或いは、「交換単価」は、所定のアルゴリズムに基づいてコンピュータが算出するものであってもよい。
【００１０】
記憶装置はさらに、景品の仕入原価を記憶しており、コンピュータは、提供価格と仕入原価の差額を表示させることが好ましい。差額は、その景品を提供した際に遊技店が得る利益に相当する。差額が表示されると遊技店の利益を計算し易くなる。なお、以下では、「提供価格と仕入原価の差額」を「提供利益」と称する場合がある。
【００１１】
コンピュータは、記憶装置に記憶されている複数の景品について、提供価格、提供利益、又は、過去に提供した景品数にその景品の提供利益（上記した差額）を乗じた提供利益合計（利益合計）、のいずれかの額の昇順又は降順で景品名をリスト表示させることが好ましい。「昇順」とは、額の小さいものから順に並べることであり、「降順」とは、額の大きいものから順に並べることを意味する。降順でリスト表示すると、利益への貢献度が高い景品が把握でき、昇順でリスト表示すると、利益への貢献度が低い景品が把握できる。なお、コンピュータは、記憶装置が記憶している全ての景品について昇順または降順でリスト表示する必要はない。例えば上位１０位までをリスト表示することも好適である。
【００１２】
記憶装置は、予め定められた特殊景品の仕入原価と交換遊技媒体数を記憶しており、コンピュータは、特殊景品の仕入原価を特殊景品の交換遊技媒体数で除した値を前記交換単価として用いることも好適である。多くの遊技店では、多種の一般的な景品とは別に、特殊景品を定めている。特殊景品は、他の景品と比較するとユーザが交換を希望する頻度が極めて高い景品である。他方、特殊景品の交換単価は、特殊景品の仕入原価を特殊景品の交換遊技媒体数で除して求められる。コンピュータは、この特殊景品の交換単価を用いて算出された他の景品の提供価格を表示するとよい。その提供価格は、特殊景品を基準として、遊技店にとって有利な景品であるか否かを表す一つの指標となる。即ち、そのような提供価格に基づくと、遊技店の経営者は、各景品が、特殊景品よりも利幅が大きいのか小さいのかを把握することができる。
【００１３】
記憶装置は、上記のデータとともに、景品の在庫数が記録されている在庫データを記憶しているとよい。この場合、コンピュータは、提供された景品数（交換数）を在庫数から減じるとともに、在庫数が予め定められた発注喚起数以下となった景品について、その景品の差額（提供利益）に応じて異なるメッセージを表示させるように構成されているとよい。差額が大きいことは、利幅が大きいことを意味するから、コンピュータは、差額が大きい景品の場合には、積極的に仕入れる（即ち予定仕入れ量より、或いは、前回仕入れ量より多く仕入れる）ことを促すメッセージ（発注を促すメッセージ）を出力するとよい。逆に、差額が小さいことは、利幅が小さいことを意味するから、コンピュータは、差額が小さい景品の場合には、予定仕入れ量より、あるいは、前回の仕入れ量よりも少なく仕入れることを促すメッセージを出力するとよい。
【発明の効果】
【００１４】
本発明は、「遊技媒体」という遊技店に特有の媒体の元で、景品毎の利益管理を容易にする装置を実現する。
【図面の簡単な説明】
【００１５】
【図１】実施例の景品管理装置のブロック図を示す。
【図２】実施例の景品管理装置の画面の一例を示す（１）。
【図３】実施例の景品管理装置の画面の一例を示す（２）。
【図４】実施例の景品管理装置の画面の一例を示す（３）。
【図５】実施例の景品管理装置の画面の一例を示す（４）。
【図６】実施例の景品管理装置の画面の一例を示す（５）。
【図７】実施例の景品管理装置の画面の一例を示す（６）。
【図８】実施例の景品管理装置の画面の一例を示す（７）。
【図９】実施例の景品管理装置の画面の一例を示す（８）。
【図１０】実施例の景品管理装置の画面の一例を示す（９）。
【図１１】実施例の景品管理装置の画面の一例を示す（１０）。
【図１２】従来の景品管理装置の画面の一例を示す。
【発明を実施するための形態】
【００１６】
図１に、景品管理装置１０のブロック図を示す。景品管理装置１０は、コンピュータ１２と、コンピュータ１２に接続されているモニタ１６、キーボード１７、マウス１８、バーコードリーダ１９、及び、記憶装置１４（ハードディスク装置）を備える。記憶装置１４には、景品に関する情報が登録された景品データベースが格納されている。景品データベースの詳細については後述する。以下、景品データベースを単にデータベースと称する。また、このデータベースに基づいて表示されたものは、「帳票」と呼ばれることがある。なお、所定のデータが登録されたデータベースを記憶装置１４が記憶しているということは、記憶装置１４がその「所定のデータ」を記憶していることに他ならないことに留意されたい。
【００１７】
キーボード１７、マウス１８、及び、バーコードリーダ１９は、遊技店の従業員等が操作するいわゆる入力デバイスである。従業員は、キーボード１７、マウス１８を操作し、データベースへのデータの登録や、遊技者に提供した景品の個数を入力する。バーコードリーダ１９は、景品に付されているバーコードを読み取るために備えられている。遊技者へ提供する景品のバーコードを読み取ることによって、遊技者へ提供する景品の名称が景品管理装置１０に入力される。モニタ１６には、景品データベースの内容が表示される（即ち帳票が表示される）。詳しくは後述するが、景品データベースには各景品の在庫数も記録されており、景品が遊技者に提供される毎に従業員が提供された景品数を入力すると、コンピュータ１２がデータベース上の在庫数を更新する。景品管理装置１０は、図示しない他の装置、例えば、各遊技機の遊技情報を管理するホールコンピュータに接続している。また、図示を省略しているが、コンピュータ１２にはプリンタも接続されており、データベースに記録された情報（帳票）を印刷して出力する（表示する）こともできる。
【００１８】
図２は、モニタ１６の表示画面の一例（表示画面１６ａ）を示している。図２を参照して、データベースの構造とともに、表示される情報について説明する。表示されている帳表２０は、データベースに記憶されているデータに基づいて表示されている。データベースには、複数の景品の夫々について、景品コード、景品名、種別、仕入原価、交換玉数（交換遊技媒体数）、販売価格、提供価格、提供利益（後述する）、交換数（出庫数）、提供利益合計（後述する）、及び、在庫数が対応付けられて記憶されている。これらの項目のうち、従業員によって入力されるのは、景品コード、景品名、種別、仕入原価、交換玉数、初期の在庫数である。販売価格、提供価格、提供利益、提供利益合計、在庫数（景品が提供された後の在庫数）は、コンピュータ１２が計算する。仕入原価、販売価格、提供価格、提供利益、提供利益合計の単位は「円」である。交換玉数の単位は「個」である。
【００１９】
帳票２０の各項目について説明する。景品コードは、コンピュータが各景品を識別・管理するのを容易にするための識別子である。種別は、景品の種類を表す記号である。例えば種別Ｓは、景品Ａが特殊景品であることを表している。種別Ｔは、景品Ｂ、景品Ｃがタバコであることを表している。種別Ｃは、景品Ｄ〜Ｆが、ＣＤ（コンパクトディスク）であることを表している。仕入原価は、各景品の仕入値である。交換玉数は、遊技者が景品を受け取るのに必要な遊技媒体数（交換に必要な遊技媒体数）である。交換数（出庫数）は、過去に出庫した景品数、即ち、過去に遊技者に提供された景品数である。在庫数は、現在の景品の在庫の個数である。
【００２０】
データベース上の項目である販売価格、提供価格、提供利益、提供利益合計を説明する前に、画面１６ａの右上に表示されている貸出単価と交換単価について説明する。貸出単価は、遊技者（遊技店の客）が遊技を開始する際、遊技店から遊技媒体を借り受ける際の遊技媒体１個当たりの借り賃である。交換単価は、景品と交換する際の遊技媒体１個当たりの価値を表す。本実施例では、貸出単価、交換単価はともに、従業員が入力する。貸出単価は４．０円に設定され、交換単価は２．５円に設定されている。交換単価は、一例として、特殊景品（データベース上で種別Ｓが設定されている景品）のデータに基づいて決定される。例えば、交換単価は、［特殊景品の仕入原価］／［特殊景品の交換玉数］を基準に設定される。本実施例では、［特殊景品の仕入原価］／［特殊景品の交換玉数］＝２０３円／８０個＝２．５３７５円／個であり、この値の少数第２位以下を切り捨てにして、交換単価＝２．５円／個が設定される。ただし、交換単価は遊技店が任意に設定してもよい。例えば、［全景品の仕入原価合計］／［交換玉数合計］を基準に設定されていてもよい。
【００２１】
帳票２０の「販売価格」は、各景品の交換玉数に貸出単価を乗じた値である。「提供価格」は、各景品の交換玉数に交換単価を乗じた値である。
【００２２】
帳票２０の「提供利益」は、提供価格から仕入原価を引いた値（差額）である。景品Ａの場合、提供価格が２００円であり、原価が２０３円であるから、提供利益はマイナス３円となっている。「提供利益合計」は、提供利益に交換数（即ち、過去に交換された景品数であり、出庫した個数である）を乗じた値である。
【００２３】
画面１６ａに表示された帳票２０の活用例を説明する。まず、景品Ｄ（景品コード０２１の景品）の場合を説明する。帳票２０によると、景品Ｄの市場価格（販売価格）は６００円である。また、景品Ｄの提供価格は３７５円であり、交換玉数は１５０個である。景品Ｄは１個３００円で仕入れているので、１個交換する毎に遊技店は３７５円（提供価格）−３００円（仕入価格）＝７５円の利益を得る。この値が「提供利益」の項目に表示されている。なお、図２の場合、景品Ｄは、５０個が交換（提供）されているので、遊技店は７５円（提供利益）×５０個（交換数）＝３７５０円の利益を得ている。この値が、「提供利益合計」の項目に表示されている。他方、特殊景品Ａは、世間での換金に好都合な景品であり、仮に１５０個の玉が景品Ｄでなく、特殊景品Ａに交換された後に換金されると仮定すると、３７５円となる。１５０個の遊技媒体が特殊景品Ａを介して換金される場合は遊技店にとって損得なしであるが、景品Ｄと交換される場合、景品１個の交換に際して遊技店は７５円の利益を得る。即ち、景品Ｄは遊技店にとって、特殊景品Ａと交換されるよりも利益を生む景品であることが分かる。
【００２４】
次に、景品Ｆ（景品コード０２３の景品）の場合を説明する。帳票２０によると、景品Ｆの市場価格（販売価格）は、１８８８円である。また、景品Ｆの提供価格は１１８０円であり、交換玉数は４７２個である。景品Ｆは１個１２００円で仕入れているので、１個交換する毎に遊技店は１１８０円（提供価格）−１２００円（仕入価格）＝−２０円の損失を出す。この値が「提供利益」の項目に表示されている。図２の場合、景品Ｆは１５００個が提供（交換）されているので、遊技店は−２０円（提供利益）×１５００個（交換数）＝−３００００円の損失を出している。この値が、「提供利益合計」の項目に表示されている。４７２個の遊技媒体が特殊景品Ａを介して換金される場合は遊技店にとって損得なしであるが、景品Ｆと交換される場合、景品１個の交換に際して遊技店は２０円の損失を出す。景品Ｆは、１個交換されるごとの損失は２０円だけであるが、人気があって交換数が多いため、合計で３００００円の損失となり、遊技店の経営にとって問題があることが帳票２０から把握することができる。このケースの場合、遊技店は、仕入原価の値下げ交渉を行うという戦略を立てることができる。値下げ交渉により１１８０円に値下げしてもらうことができれば、少なくとも損失を出さずに済むように経営を改善できる。
【００２５】
次に景品Ｉ（景品コード０２６の景品）の場合を説明する。帳票２０によると、景品Ｉの市場価格（販売価格）は１２００円である。また、景品Ｉの提供価格は７５０円であり、交換玉数は３００個である。景品Ｉは、１個７８０円で仕入れているので、１個交換する毎に遊技店は７５０円（提供価格）−７８０円（仕入価格）＝−３０円の損失を出す。この値が「提供利益」の項目に表示されている。図２の場合、景品Ｉは１５個が提供（交換）されているので、遊技店は−３０円（提供利益）×１５個（交換数）＝−４５０円の損失を出している。３００個の遊技媒体が特殊景品Ａを介して換金される場合は遊技店にとって損得なしであるが、景品Ｉと交換される場合、景品１個の交換に際して遊技店は３０円の損失を出す。景品Ｉは、１個交換されるごとの損失は３０円だけであるが、交換数が少ないため、合計４５０円の損失で済んでいる。景品Ｉについても仕入原価の値下げ交渉をした方がよいが、損失合計が少ないので交渉の優先度は低い、という経営戦略が策定できる。
【００２６】
次に、景品Ｇ（景品コード０２４の景品）の場合を説明する。帳票２０によると、景品Ｇの市場価格（販売価格）は８００円である。また、景品Ｇの提供価格は５００円であり、交換玉数は２００個である。景品Ｇは４５０円で仕入れているので、１個交換する毎に遊技店は５００円（提供価格）−４５０円（仕入価格）＝５０円の利益を得る。この値が「提供利益」の項目に表示されている。図２の場合、景品Ｇは３００個が提供（交換）されているので、遊技店は５０円（提供利益）×３００個（交換数）＝１５０００円の利益を得ている。この値が、「提供利益合計」の項目に表示されている。２００個の遊技媒体が特殊景品Ａを介して換金される場合は遊技店にとって損得なしであるが、景品Ｇと交換される場合、景品１個の交換に際して遊技店は５０円の利益を得ることができる。即ち、景品Ｇは遊技店にとって、特殊景品Ａに交換されるよりも利益を生む景品であることが分かる。
【００２７】
上記例のように、帳票２０の表示は、経営戦略の立案に大きく貢献する。特に、提供利益の値がプラスであれば、その景品の交換で遊技店は利益を得ることができるが、提供利益の値がマイナスであれば、その景品の交換で遊技店は損失を出すことが、帳票２０の表示から把握することができる。
【００２８】
図２の符号ａ２が示す２個の三角記号は、表示されている表の並び替えを行うためのスイッチである。左側の上向き三角記号をクリックすると、表示されているデータは、その項目の数値の降順に並び替えられる。右側の下向きの三角記号をクリックすると、表示されているデータは、その項目の数値の昇順に並び替えられる。図３は、提供価格の欄の左側の三角記号をクリックしたときの画面（画面１６ｂ）である。破線部ｂ１、ｂ２が示すように、提供価格の降順（提供価格の大きい順）に、景品のリストが並び替えられている。
【００２９】
表の並び替えは、符号ａ３が示している「並び替え」ボタンをクリックすることによっても実行できる。例えば、図２の表示において、まず、「提供利益」の項目を選択した後（「提供利益」と表示されたセルをクリックした後）、「並び替え」のボタンａ３をクリックすると、図４ｃに示すように、ポップアップ画面ｃ１が表示される（画面１６ｃ）。ポップアップ画面ｃ１の中の「ＯＫ」のボタンをクリックすると、モニタの表示が図５の画面１６ｄに切り換わる。画面１６ｄの破線部ｄ１が示すように、「提供利益」の値の昇順（提供利益の小さい順）に、景品のリストが並び替えられる。また、図２の画面において「提供利益合計」の項目をクリックした後、「並び替え」のボタンａ３をクリックし、さらにポップアップ画面ｃ１の「ＯＫ」をクリックすると、表示が図６の画面１６ｅに切り換わる。画面１６ｅの破線部ｅ１が示すように、この場合、「提供利益合計」の値の昇順に、景品リストが並び替えられる。
【００３０】
図２の符号ａ４が示すボタンは、表示されたデータに対してＡＢＣ分析を実行するためのボタンである。ＡＢＣ分析とは、「重点分析」とも呼ばれ、複数存在するものを整理して大事なものから順に並べ、プライオリティをつけて管理するための分析手法であり、経営のあらゆる面で活用できる有力な管理手法の一つである。例えば、表示されている「提供価格」と記されたセルと「交換数」と記されたセルをクリックしたのち、ボタンａ４をクリックすると、図７に示すように、ＡＢＣ分析の結果が、「提供価格」×「交換数」を縦軸とするグラフとなって表示される（画面１６ｆ）。もちろん、「提供価格」と「交換数」以外の項目のセルをクリックすることで、ＡＢＣ分析の対象を変更することができる。なお、変形例として、「ＡＢＣ分析」のボタンをクリックすると、横軸及び／又は縦軸を設定する画面が表示されるようにすることも好適である。
【００３１】
図２の符号ａ５が示す２つのボタンを説明する。販売価格、提供価格、提供利益、又は、提供利益合計のいずれかの項目について降順にリスト表示させた後に左側の「円グラフ」と書かれたボタンをクリックすると、降順の上位５つの景品が円グラフ表示される。販売価格、提供価格、提供利益、又は、提供利益合計のいずれかの項目について降順にリスト表示させた後に右側の「棒グラフ」と書かれたボタンをクリックすると、降順の上位５つの景品が棒グラフ表示される。
【００３２】
次に、景品管理装置１０の在庫管理機能について説明する。遊技店の従業員は、遊技者が獲得した遊技媒体をいずれかの景品と交換する際、バーコードリーダ１９を使って景品の種類を景品管理装置１０に入力するとともに、交換する景品の個数（交換個数）を入力する。景品管理装置１０は、入力された景品の入力された交換個数を、対応する景品の出庫数に加算するとともに、対応する景品の在庫数から交換個数を減算する。即ち、コンピュータ１２は、在庫データを更新する。景品管理装置１０には、景品毎に、発注喚起数が予め登録されている。発注喚起数とは、景品在庫数が少なくなり、景品を新たに発注して在庫を増やす時期であること従業員に知らせるために定められている数値である。コンピュータ１２は、在庫数が発注喚起数を下回った場合、その旨を通知するメッセージを表示する。ここで、コンピュータ１２は、在庫数が発注喚起数を下回った景品の提供利益に応じて異なるメッセージを出力する。コンピュータ１２は、提供利益が予め定められた閾値利益額よりも大きい場合、積極的に（即ち予定仕入れ量より、或いは、前回仕入れ量より多く）仕入れることを促すメッセージを出力する。逆に、コンピュータ１２は、提供利益が予め定められた閾値利益額よりも小さい場合には、予定仕入れ量より、あるいは、前回の仕入れ量よりも少なく仕入れることを促すメッセージを出力する。
【００３３】
図８に、メッセージ出力の一例（画面１６ｇ）を示す。例えば、景品Ｈの発注喚起数は２５に設定されており、閾値利益額は５００円に設定されているとする。図８のケースでは、景品Ｈの在庫数が発注喚起数である２５を下回ったので（符号ｇ１）、発注を促すメッセージｇ２が表示されている。景品Ｈの提供利益は８１２円であり、閾値利益額５００円よりも大きいので、「多量の発注を推奨します」というメッセージが付加されている。
【００３４】
メッセージ出力の態様は、上記例に限られない。たとえば、景品の在庫数が発注喚起数を下回った場合、自動発注を促すメッセージを記したポップアップ画面が割り込みでモニタに表示されることも好適である。この場合、その画面表示に景品名や在庫数を表示するとともに、その景品の提供利益が表示されることが好ましい。
【００３５】
メッセージ出力の他の例を説明する。図９に示されているポップアップ画面ｈ１は、在庫数が予め定められた適正在庫数を下回ったときに表示される。適正在庫数は、景品毎に予め定められる。適正在庫数は、遊技店の従業員が事前に定め、景品管理装置１０に入力しておく。或いは、適正在庫数は、景品管理装置１０が、１日当たりの平均出庫数に基づいて自動的に算出して更新するようにしてもよい。
【００３６】
図９の例では、景品Ｅの在庫が２０個になり、適正在庫数２１個を下回ったので、景品管理装置１０はポップアップ画面ｈ１を表示する。景品管理装置１０は、景品仕入先の業者のコンピュータとオンラインで接続しており、ポップアップ画面ｈ１内の「発注」ボタンがクリックされると、景品Ｅについて、予め定められた発注量を仕入先の業者へオンラインで発注する。「後で」ボタンがクリックされた場合には、在庫がさらに５個減少したときに景品管理装置１０はポップアップ画面ｈ１を再度表示する。「不要」ボタンがクリックされた場合、景品管理装置１０は、ポップアップ画面ｈ１を消去するだけで後は何もしない。
【００３７】
景品管理装置１０が出力するメッセージの他の例を図１０に示す（画面１６ｊ）。景品管理装置１０は、提供損失が予め定められた値（例えば３０円）以上のときには、自動発注を促す画面ではなく、注意喚起のポップアップ画面ｊ１を表示する。どちらの画面も表示しないようにしてもよい。遊技店の従業員は、注意喚起のメッセージに反しても発注を望む場合は、「発注ロック解除」ボタンをクリックすればよい。このボタンがクリックされると景品管理装置１０は、ネットワークで接続している仕入先の業者のコンピュータに対して、景品Ｉを所定量だけ、オンラインで発注する。
【００３８】
メッセージのさらに別の例を図１１に示す（画面１６ｋ）。この例では、景品管理装置１０は、提供損失が予め定められた値（例えば３０円）以上のときには、自動発注を促す画面ではなく、所定の条件を満たす代替の景品の発注を促すポップアップ画面ｋ１を表示する。所定の条件とは、例えば、提供利益が所定額以上という条件である。ポップアップ画面ｋ１では、提供利益が５０円である景品Ｍを代替景品として発注することを喚起するメッセージが表示されている。従業員は、メッセージに従って代替景品の発注を希望する場合は「代替発注」のボタンをクリックする。そうすると景品管理装置１０は、景品Ｍを所定量オンラインで発注する。従業員がメッセージに反しても景品Ｉの発注を望む場合は、「ロック解除」ボタンをクリックすればよい。このボタンがクリックされると景品管理装置１０は、ネットワークで接続している仕入先の業者のコンピュータに対して、景品Ｉを所定量だけ、オンラインで発注する。従業員は、現時点ではいずれの景品の発注も必要ないと判断した場合には、「後で」ボタンをクリックする。「後で」ボタンがクリックされた場合には、在庫がさらに５個減少したときに景品管理装置１０はポップアップ画面ｋ１を再度表示する。
【００３９】
その他、例えば、夫々の景品について、提供利益合計額が所定の設定値を下回っている場合に、景品管理装置１０は、その景品に対して代替景品の発注を促すメッセージを表示するようにしてもよい。また、景品が食品の場合、景品データベースにその景品の賞味期限あるいは消費期限が登録されていることも好適である。この場合、景品管理装置１０は、賞味期限あるいは消費期限の残り日数が所定の日数となった場合に、その旨を通知するメッセージを表示するようにしてもよい。
【００４０】
以上説明した景品管理装置１０を用いると、景品の利益管理に関し、様々な戦略を立てることができる。例えば、仕入れる景品の提供利益に関して、「個別の景品の提供利益／仕入価格」（即ち、利益率）の下限値を設定し、下限値を下回る景品は再発注を中止するという経営戦略を立てることができる。逆に、提供利益がマイナスの景品については、交換数が多ければ仕入個数を増やすかわりに仕入単価を引き下げる交渉を行うなどの戦略を立てることも有益である。
【００４１】
交換単価は、遊技店の従業員等が設定した値ではなく、所定のアルゴリズムに基づいてコンピュータが計算した値を用いてもよい。例えば、コンピュータが、特殊景品の仕入原価を特殊景品の交換遊技媒体数で除した値を計算して、交換単価として用いてもよい。
【００４２】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４３】
１０：景品管理装置
１２：コンピュータ
１４：記憶装置
１６：モニタ
１６ａ、１６ｂ、１６ｃ：表示画面
１７：キーボード
１８：マウス
１９：バーコードリーダ
２０：帳票（データベース）
【図１】
0005759157.tif 000002
【図２】
0005759157.tif 000003
【図３】
0005759157.tif 000004
【図４】
0005759157.tif 000005
【図５】
0005759157.tif 000006
【図６】
0005759157.tif 000007
【図７】
0005759157.tif 000008
【図８】
0005759157.tif 000009
【図９】
0005759157.tif 000010
【図１０】
0005759157.tif 000011
【図１１】
0005759157.tif 000012
【図１２】
0005759157.tif 000013